(57)【特許請求の範囲】
【請求項１】
遊技盤の盤面上に立設され、遊技球の発射操作に応答して発射された遊技球を遊技盤の遊技領域に案内する帯状のガイドレールと略円弧状に連なる壁面に前記ガイドレールの滑走面と反対側の面を押し当てることにより前記ガイドレールを略円弧状に屈曲させた状態で保持する取り付けベースとを備え、前記ガイドレールはその先端側へのスライドが規制されたパチンコ機において、
前記ガイドレールの基端側でかつその背面側に配置されたギヤと、
前記ギヤが係合し、かつ前記ガイドレールの基端部に長手方向に沿って形成された複数の係合孔と、
前記ガイドレールが前記先端側に押されるように前記ギヤの回転方向を規制する回転方向規制部材とを備え、
前記ギヤを回転させると前記ガイドレールが先端側に押されて前記ガイドレールの滑走面と反対側の面が前記壁面に密着することを特徴とするパチンコ機。
【発明の詳細な説明】
【技術分野】
【０００１】
本発明は遊技球を遊技盤の盤面上に案内するガイドレールを備えたパチンコ機に関する。
【背景技術】
【０００２】
パチンコ機の遊技盤の盤面上には、遊技球の落下方向に変化をつける遊技釘や入賞口が設けられた遊技領域が形成されている。遊技者がハンドル操作を行うと発射装置によって遊技球が発射され、発射された遊技球はガイドレールによって遊技領域に案内される（例えば特許文献１）。一般に、ガイドレールはステンレスなどの可撓性を有する金属の薄板で形成されており、盤面上に形成された取り付けベースに取り付けられる。取り付けベースは略円弧状に連なる壁面を有しており、ガイドレールはこの壁面に背面が押し当てられて略円弧状に屈曲した状態で保持されている。そして、ガイドレールの先端は盤面上に設けられた突き当て部に突き当てられてその先端側へのスライドが規制されており、基端側はフックによる係合などによって固定されている。
【特許文献１】特開２００５−２４５７１１号公報
【発明の開示】
【発明が解決しようとする課題】
【０００３】
しかしながら上記のパチンコ機では、ガイドレールや取り付けベースの寸法誤差によってガイドレールを取り付けベースに取り付けたときにガイドレールに緩みが生じてガイドレールの背面が取り付けベースの壁面に十分に密着しないことがある。そして、ガイドレールが取り付けベースの壁面と密着していない部分に遊技球が接触すると、遊技球の軌道が安定せず、遊技球が正常に遊技領域に発射されずに遊技に支障をきたす、あるいは、ガラス扉のガラスが破損されるおそれがあるという問題があった。この問題を解決するためには、ガイドレールや取り付けベースの寸法精度を高くする必要があるが、ガイドレールは帯状の薄板を切断して形成するので寸法精度を高くすることが困難であるため、ガイドレールの緩みが酷い場合はガイドレール自体の交換を強いられ、このことがパチンコ機の製造コストが上昇する要因となっていた。
【０００４】
本発明は、上記課題を解決するためになされたもので、製造コストの上昇を招くことなく発射された遊技球の軌道を正常な状態に修正することができるようにしたパチンコ機を提供することを目的とする。
【課題を解決するための手段】
【０００５】
上記目的を達成するために本発明のパチンコ機は、遊技盤の盤面上に立設され、遊技球の発射操作に応答して発射された遊技球を遊技盤の遊技領域に案内する帯状のガイドレールと略円弧状に連なる壁面に前記ガイドレールの滑走面と反対側の面を押し当てることにより前記ガイドレールを略円弧状に屈曲させた状態で保持する取り付けベースとを備え、前記ガイドレールはその先端側へのスライドが規制されたパチンコ機において、前記ガイドレールの基端側でかつその背面側に配置されたギヤと、前記ギヤが係合し、かつ前記ガイドレールの基端部に長手方向に沿って形成された複数の係合孔と、前記ガイドレールが前記先端側に押されるように前記ギヤの回転方向を規制する回転方向規制部材とを備え、前記ギヤを回転させると前記ガイドレールが先端側に押されて前記ガイドレールの滑走面と反対側の面が前記壁面に密着するものである。
【発明の効果】
【０００６】
本発明のパチンコ機によれば、ギヤを回転させるとガイドレールが先端側に押されてガイドレールの滑走面と反対側の面が取り付けベースの壁面に密着するので、ガイドレールに緩みが生じてもガイドレールを交換することなく緩みを解消することが可能になり、製造コストの上昇を招くことなく発射された遊技球の軌道を正常な状態に修正することができる。
【発明を実施するための最良の形態】
【０００７】
図１及び図２において、パチンコ機１０は遊技盤１１を備えている。遊技盤１１の前面には樹脂で形成された略矩形状の樹脂枠１１ａがレバー１１ｂによる係止によって取り付けられている。遊技盤１１の前面に樹脂枠１１ａが取り付けられると遊技盤１１の盤面上で遊技領域１２が画定される。遊技領域１２には、各種の入賞口１３、図柄の変動表示を行って当たり／ハズレを表示する液晶ディスプレイ１４が組み込まれたセンター役物１５、遊技球の落下方向に変化をつける遊技釘が設けられている。遊技盤１１の前方には開閉自在なガラス扉１６が設けられている。ガラス扉１６は内ガラス１６ａ（図３参照）と外ガラス１６ｂ（図３参照）とを備えており、これら２枚のガラス１６ａ，１６ｂを介して遊技領域１２を視認できる。
【０００８】
パチンコ機１０の下部には発射ハンドル１０ａが設けられている。遊技者が発射ハンドル１０ａを回動させるとパチンコ機１０の内部に組み込まれた発射装置１７が作動し、発射装置１７のノックアーム１７ａの揺動によって遊技球１８が１球ずつ発射される。発射された遊技球１８はガイドレール１９によって遊技領域１２に案内される。
【０００９】
図３において、ガイドレール１９は例えばステンレスなどの金属の薄板で帯状に形成されており、樹脂枠１１ａに立設されたＬ字型の取り付けベース２０に取り付けられている。取り付けベース２０は略円弧状に連なっている。取り付けベース２０はＬ字形形成されており、その内壁面（壁面）２０ａにガイドレール１９の滑走面１９ａと反対側の面１９ｂが押し当てられている。これにより、ガイドレール１９は略円弧状に屈曲した状態で保持される。
【００１０】
図４において、ガイドレール１９の先端は樹脂枠１１ａの内側に形成された凹状の突き当て部１１ｃに突き当てられている。これにより、ガイドレール１９の先端側への移動が規制される。また、ガイドレール１９の先端には外方に広がる一対の爪１９ｃが形成され、凹部１１ｃの開口部分には内部に突出した一対の爪１１ｄが形成されている。これにより、ガイドレール１９が基端側に引っ張られても爪１９ｃが爪１１ｄに引っ掛かるので、ガイドレール１９が突き当て部１１ｃから抜けることが防止される。
【００１１】
図５において、ガイドレール１９の基端側でかつその背面側にはガイドレール１９を押圧して取り付けベース２０の内壁面２０ａに密着させるためのレール押し出し機構３０が設けられている（図２中Ａ部）。レール押し出し機構３０は、ガイドレール１９に係合する第１ギヤ３１、第１ギヤに噛み合う第２ギヤ３２、第２ギヤ３２の回転方向を規制するレバー３３を備えている。
【００１２】
図６において、ガイドレール１９の基端部でその上縁側には長手方向に沿って複数の係合孔３４が形成されている。第１ギヤ３１は大径ギヤ３１ａと小径ギヤ３１ｂとからなる。大径ギヤ３１ａは係合孔３４に係合している。第２ギヤ３２は大径ギヤ３２ａと回転方向規制ギヤ３２ｂとつまみ３２ｃからなる。大径ギヤ３２ａは第１ギヤ３１の小径ギヤ３１ｂと噛み合っている。第２ギヤ３２はつまみ３２ｃを把持して回転される。なお、大径ギヤ３２ａは小径ギヤ３１ｂよりもギヤ歯の数が多くなっている。
【００１３】
レバー３３はＬ字形に形成されており、軸３３ａを中心として揺動自在になるように軸支されている。レバー３３の長尺のアーム３３ｂの先端は回転方向規制ギヤ３２ｂに係合しており、短尺のアーム３３ｃはバネ３５によって付勢されており、これによりレバー３３はアーム３３ｂが回転方向規制ギヤ３２ｂに押しつけられる方向（図５中Ａ方向）に付勢されている。回転方向規制ギヤ３２ｂの各ギヤ歯は一方向に傾斜している。このため、第２ギヤ３２は図５中Ｂ方向（時計方向）に回転したときにはアーム３３ｂの先端が各ギヤ歯を乗り越えるため、第２ギヤ３２の回転は許容されるが、第２ギヤ３２が図５中Ｂ方向と逆方向（反時計方向）に回転したときにはアーム３３ｂの先端がギヤ歯に係止し、第２ギヤ３２は回転不能となる。これにより、第２ギヤ３２は図５中Ｂ方向にのみ回転する。
【００１４】
次に上記のように構成されたパチンコ機１０でガイドレール１９を取り付けベース２０の内壁面２０ａに密着させるときの作業の流れを説明する。ガラス扉１６を開放するとレール押し出し機構３０が露呈される。ガラス扉１６の開放後、作業者は第２ギヤ３２のつまみ３２ｃを摘んで第２ギヤ３２を図５中Ｂ方向に回転させる。第２ギヤ３２が回転すると、これに連動して第１ギヤ３１が図５中Ｃ方向（反時計方向）に回転する。第１ギヤ３１を回転させると、これに係合するガイドレール１９がその先端側（図５中Ｄ方向）に押される。大径ギヤ３２ａは小径ギヤ３１ｂよりもギヤ歯の数が多いため、つまみ３２ｃの１回転あたりの小径ギヤ３１ｂの回転量を小さくなる。これにより、微調整を容易に行うことができる。ガイドレール１９が押されるとその滑走面１９ａと反対側の面１９ｂが取り付けベース２０の内壁面２０ａに密着する。作業が終了した後はガラス扉１６を閉じる。
【００１５】
上記実施形態では、ガイドレール１９を押すためのギヤを２つ設けたが、設けるギヤの数は適宜数にしてよい。
【図面の簡単な説明】
【００１６】
【図１】パチンコ機の外観斜視図である。
【図２】遊技盤の正面図である。
【図３】遊技盤及び樹脂枠の断面図である。
【図４】ガイドレール先端の拡大図である。
【図５】レール押し出し機構の上面図である。
【図６】ガイドレールの基端部の正面図である。
【符号の説明】
【００１７】
１０  パチンコ機
１１  遊技盤
１２  遊技領域
１８  遊技球
１９  ガイドレール
３０  レール押し出し機構
３１  第１ギヤ
３２  第２ギヤ
３３  レバー
３４  係合孔
３５  バネ
【図１】
0004642702.tif 000002
【図２】
0004642702.tif 000003
【図３】
0004642702.tif 000004
【図４】
0004642702.tif 000005
【図５】
0004642702.tif 000006
【図６】
0004642702.tif 000007